(57)【特許請求の範囲】
【請求項１】
ネットワークを介して受信した語句を含むＷＷＷ文書を検索する検索ステップと、
この検索ステップにより検索されたＷＷＷ文書の作成時を検知する作成時検知ステップと、
異なる複数の時間区分のそれぞれに対応し、前記作成時検知ステップにより検知された作成時が当該時間区分内にあるか否かを判定するための複数の判定式を用いて、前記複数の時間区分のうち前記作成時の属する時間区分を検知する時間区分検知ステップと、
この時間区分検知ステップにより検知された時間区分に対応する日時表記フォーマットを検知する日時表記検知ステップと、
前記検索ステップにより検索したＷＷＷ文書のＵＲＬを検知するＵＲＬ検知ステップと、
前記ＵＲＬ検知ステップにより検知されたＵＲＬを予め記憶されている記憶ＵＲＬと前方一致により比較する比較ステップと、
この比較ステップにより前方一致が確認されたときその前方一致した前記記憶ＵＲＬ及び、前記日時表記検知ステップにより検知された前記日時表記フォーマットを、前記検索されたＷＷＷ文書のＵＲＬと共に送信する送信ステップとを備えて成ることを特徴とする、検索結果表示のための検索方法。
【請求項２】
ネットワークを介して受信した語句を含むＷＷＷ文書を検索する検索手段と、
この検索手段により検索されたＷＷＷ文書の作成時を検知する作成時検知手段と、
異なる複数の時間区分のそれぞれに対応し、前記作成時検知手段により検知された作成時が当該時間区分内にあるか否かを判定するための複数の判定式と、各判定式に対応する日時表記フォーマットとを対応付けて記憶する記憶手段と、
前記作成時検知手段により検知された作成時が、前記複数の判定式のうちのどの判定式を満たすかを基に、前記複数の時間区分のうち前記作成時の属する時間区分を検知する時間区分検知手段と、
前記検索手段により検索したＷＷＷ文書のＵＲＬを検知するＵＲＬ検知手段と、
このＵＲＬ検知手段により検知されたＵＲＬを予め記憶されている記憶ＵＲＬと前方一致により比較する比較手段と、
この比較手段により前方一致が確認されたとき、その前方一致した前記記憶ＵＲＬ及び前記時間区分検知手段で検知された時間区分に対応する前記日時表記フォーマットを、前記検索されたＷＷＷ文書のＵＲＬと共に送信する送信手段とを備えて成ることを特徴とする、検索結果表示のための検索装置。
【請求項３】
検索のために入力された語句をネットワークに送信する語句送信手段と、
（ａ）この語句送信手段により送信された語句を基に検索した結果得られた、当該語句を含むＷＷＷ文書のＵＲＬと、（ｂ）異なる複数の時間区分のそれぞれに対応し、当該ＷＷＷ文書の作成時が当該時間区分内にあるか否かを判定するための複数の判定式を用いて、前記複数の時間区分のうち前記作成時の属する時間区分を検知した結果得られる当該時間区分に対応する日時フォーマットと、（ｃ）当該ＷＷＷ文書を含む包括リンク先を受信し、
当該ＷＷＷ文書のＵＲＬ及び前記包括リンク先を表示するとともに、当該ＷＷＷ文書の作成時を前記日時表記フォーマットで表示する表示手段と、
を有することを特徴とする、検索結果表示のためのクライアント装置。
【請求項４】
ネットワークを介して受信した語句を含むＷＷＷ文書のＵＲＬを検索する検索ステップと、
この検索ステップにより検索されたＷＷＷ文書の作成時を検知する作成時検知ステップと、
異なる複数の時間区分のそれぞれに対応し、前記作成時検知ステップにより検知された作成時が当該時間区分内にあるか否かを判定するための複数の判定式を用いて、前記複数の時間区分のうち前記作成時の属する時間区分を検知する時間区分検知ステップと、
この時間区分検知ステップにより検知された時間区分に対応する日時表記フォーマットを検知する日時表記検知ステップと、
この日時表記検知ステップにより検知された前記日時表記フォーマットを前記検索ステップにより検索されたＷＷＷ文書のＵＲＬと共に送信する送信ステップとを備えて成ることを特徴とする、検索結果表示のための検索方法。
【請求項５】
ネットワークを介して受信した語句を含むＷＷＷ文書のＵＲＬを検索する検索手段と、
この検索手段により検索されたＷＷＷ文書の作成時を検知する作成時検知手段と、
異なる複数の時間区分のそれぞれに対応し、前記作成時検知手段により検知された作成時が当該時間区分内にあるか否かを判定するための複数の判定式を用いて、前記複数の時間区分のうち前記作成時の属する時間区分を検知する時間区分検知手段と、
この時間区分検知手段により検知された時間区分に対応する日時表記フォーマットを検知する日時表記検知手段と、
この日時表記検知手段により検知された前記日時表記フォーマットを前記検索手段により検索されたＷＷＷ文書のＵＲＬと共に送信する送信手段とを備えて成ることを特徴とする、検索結果表示のための検索装置。
【請求項６】
検索のために入力された語句をネットワークに送信する語句送信手段と、
この語句送信手段により送信された語句基に検索した結果得られた、（ａ）当該語句を含むＷＷＷ文書のＵＲＬ、及び（ｂ）異なる複数の時間区分のそれぞれに対応し、当該ＷＷＷ文書の作成時が当該時間区分内にあるか否かを判定するための複数の判定式を用いて、前記複数の時間区分のうち前記作成時の属する時間区分を検知した結果得られる当該時間区分に対応する日時表記フォーマットを受信し、
当該ＷＷＷ文書のＵＲＬを表示するとともに、当該ＷＷＷ文書の作成時を前記日時表記フォーマットで表示する表示する表示手段と、
を有することを特徴とする、検索結果表示のためのクライアント装置。
【発明の詳細な説明】
【０００１】
【発明の属する技術分野】
本発明は、ネットワークを通じて行うキーワード検索などの検索結果の表示方法などに関する。
【０００２】
【従来の技術】
近年、インターネットを通じて種々の情報を検索することが可能となり、例えば、キーワードを入力するとそのキーワードを含む文書を検索し表示する等のサービスが一般的になってきた。
しかし、検索結果の文書がある文書群に属していてその文書群を代表する文書が存在する場合でも、検索結果画面からその代表文書を見付けることは困難であった。
例えばＷＷＷ文書検索の場合は、検索結果のＷＷＷ文書が所属するサイトのホームページが代表文書となるが、これを検索結果画面からたどることは困難であった。
【０００３】
具体的に示すと、例えば図８に従来の検索方法で、例えば２０００年１０月９日にキーワードとして「紛争」を入力し、検索結果を表示させたときの例を示した。
【０００４】
検索結果の１番目の内容に関係するリンク部分８１は示されており、この部分をクリックすることによって、紛争に直接関係ある部分のウェブページ（ＷＷＷ文書）を見ることができる。しかし、それはある大きなＷＷＷ文書の一部分である場合もあり、関係あるＷＷＷ文書の全体像を把握することが困難であった。
【０００５】
【発明が解決しようとする課題】
上述のように、従来のインターネットにおける検索結果の表示方法では、検索結果に直接関係するＷＷＷ文書などの部分しか見ることができず、それを含む広い範囲で見ることが困難であった。
【０００６】
上述のように、本発明は、ネットワークを介したキーワード検索などで、直接関係あるＷＷ文書だけでなく、そのＷＷＷ文書が含まれる全体のＷＷＷ文書なども容易に見ることができる、インターネットやイントラネットなどのネットワークにおける検索結果の表示方法などを提供することを目的とする。
【０００７】
【課題を解決するための手段】
したがって、本発明の請求項１によれば、ネットワークを介して受信した語句を含むＷＷＷ文書を検索する検索ステップと、この検索ステップにより検索されたＷＷＷ文書の作成時を検知する作成時ステップと、この作成時ステップにより検知された作成時が検索時から所定時間以内かどうかあるいは期間判定式を満たすかどうか検知する作成時間内検知ステップと、この作成時間内検知ステップにより所定時間以内であることあるいは前記期間判定式を満すことが検知されたとき対応する日時表記フォーマットを検知する日時表記検知ステップと、前記検索ステップにより検索したＷＷＷ文書のＵＲＬを検知するＵＲＬ検知ステップと、前記ＵＲＬ検知手段により検知されたＵＲＬを予め記憶されている記憶ＵＲＬと前方一致により比較する比較ステップと、この比較ステップにより前方一致が確認されたときその前方一致した前記記憶ＵＲＬ及び、前記日時表記検知ステップにより検知された前記日時表記フォーマットを、前記検索されたＷＷＷ文書のＵＲＬと共に送信する送信ステップとを備えて成ることを特徴とする、検索結果表示のための検索方法を提供する。
【００１７】
本発明において、「直接リンク先」とは、キーワード検索などによってその語句が含まれる直接関係あるＷＷＷ文書に関係付けられたアドレスをいい、「包括リンク先」とは、上記直接関係あるＷＷＷ文書を含む、より広い範囲のＷＷＷ文書に関係付けられたアドレスをいう。
【００１８】
【発明の実施の形態】
以下、本発明の一実施形態を図面を用いて説明する。
【００１９】
図１に検索方法の流れ図、図２にその一部である日時表記方法の流れ図、図３に付加情報表記方法の流れ図、図４に本発明による一実施形態の検索結果の表示システムの全体構成例を示す。
このシステムは、図４に示すように、インターネット１２１と、このインターネットに各々接続された、検索装置１００と、クライアント（ユーザ端末）１２０とから成る。
【００２０】
勿論、インターネット１２１に接続される装置やクライアントは非常に多いが、ここでは説明を簡明にするため、本発明の実施態様の説明に必要な装置及びクライアントのみを示している。
【００２１】
検索装置１００は、クライアントからのキーワードから検索を行う検索部１０１と、この検索結果画面を生成する検索結果画面生成部１０２と、日時表記を作り出す日時表記生成部１０３と、日時表記の規則を記憶する日時表記規則記憶部１０４と、日時表記規則を入力する日時表記規則入力部１０７と、付加情報を作り出す付加情報生成部１０５と、付加情報規則を記憶する付加情報規則記憶部１０６と、付加情報規則を入力する付加情報規則入力部１０８と、この検索装置１００をインターネット１２１に接続するための入出力部１０９とから成る。
【００２２】
検索部１０１は、検索結果画面生成部１０２を介して検索要求としてのキーワードを受信すると、検索を行い検索結果を返信する。検索結果には、キーワードに該当する一般に複数のＷＷＷ文書の情報が含まれる。
【００２３】
一般に言われる広義の「ホームページ」は、入口となる１ページ目のホームページ（狭義）とこれを含み全体を構成する各ページのウェッブページ（ＷＷＷ文書）から成る。
【００２４】
１つのＷＷＷ文書の情報には、ＷＷＷ文書が作成された日時、ＷＷＷ文書の位置を表すＵＲＬ、ＷＷＷ文書のタイトル、ＷＷＷ文書のサイズ、ＷＷＷ文書の概要を示す概要文、
などが含まれる。
【００２５】
また、検索結果内のＷＷＷ文書情報は、文書の作成日時の新しい順にソートされ、１から順に番号が付けられているとする。
【００２６】
なお、本実施形態では検索部１０１として従来から存在するＷＷＷ文書検索装置を使用する。
【００２７】
検索結果画面生成部１０２は、クライアント１２０からの検索要求を検索部１０１に送信し、その検索結果に基づき検索結果画面を生成する。生成された検索結果画面は、クライアント１２０に返信され表示される。
【００２８】
検索結果画面の生成は、図示しない検索結果画面表示フォーマットに基づき、検索結果に含まれる各ＷＷＷ文書について、ＵＲＬ、タイトル文、概要文などを該当位置に埋め込むことで行われる。
【００２９】
但し、日時部分については、日時表記生成部１０３に該当するＷＷＷ文書の日時を送信し、その結果として送信されてきた日時表記を埋め込む。また、付加情報生成部１０５に該当するＷＷＷ文書のＵＲＬを送信し、その結果として送信されてきた付加情報表記を、そのＷＷＷ文書に関する付加情報表示として埋めこむ。
【００３０】
日時表記生成部１０３は、検索結果画面生成部１０２により送信されたＷＷＷ文書の日時に対して、日時表記規則記憶部１０４に記憶される規則に基づき日時表記を生成し、返信する。
【００３１】
日時表記規則記憶部１０４は、日時表記規則を記憶する。
【００３２】
付加情報生成部１０５は、検索結果画面生成部１０２により送信されたＷＷＷ文書のＵＲＬに対して、付加情報規則記憶部１０６に記憶される規則に基づき付加情報を生成し、返信する。
【００３３】
付加情報規則記憶部１０６は、付加情報規則を記憶する。日時表記規則入力部１０７は、日時表記規則の入力を行い、入力された日時表記規則は日時表記規則記憶部１０４に記憶される。付加情報規則入力部１０８は、付加情報規則の入力を行い、入力された付加情報規則は付加情報規則記憶部１０６に記憶される。
【００３４】
次に、各記憶部における記憶構造を詳しく説明する。まず、日時表記規則記憶部１０４における記憶構造について説明する。
【００３５】
日時表記規則記憶部１０４は日時表記規則を記憶する。図５に、日時表記規則記憶部１０４における記憶構造の一例を示す。日時表記規則は、期間判定式と日時表記フォーマットの組を１単位として、それらを複数並べた形で構成される。それぞれの組には、日時表記規則入力部１０７で入力された時点で、すでに１から順に番号が付けられており、この順番で処理が行われる。
【００３６】
ここで、期間判定式とは、検索結果画面生成部１０２から送信されたＷＷＷ文書の日時を変数として計算される判定式であり、判定結果は真か偽となる。
【００３７】
本実施形態では期間判定式にＣ言語の記述を使用しており、一例をあげると、「Ｘ  ＜＝  Ｃ  ＆＆  ｘ  ＝＞  Ｃ  −  １２  ＊  ３６００」のような記述が可能である。
【００３８】
ここで、ＸおよびＣはそれぞれＷＷＷ文書の日時および現在時刻を、１９７０年１月１日午前０時を起点として秒数であらわした変数である。この例では、ＷＷＷ文書の日時が現在から過去１２時間以内のとき真となり、その他は偽となる。
【００３９】
なお、本実施形態では期間判定式にＣ言語の記述を使用しているが、開始日時と終了日時など単純に日時の範囲を指定し、ＷＷＷ文書の日時がその範囲に入った場合に真とする、などの簡略化された方式も可能である。
【００４０】
日時表記フォーマットとは、対応する期間判定式の判定結果が真になった場合に採用される日時表記のフォーマットである。フォーマット内に変数がある場合は、それが代入された後、検索結果画面生成部１０２に送信される。
【００４１】
一例として、「％Ｌｙ年％Ｌｍ月％Ｌｄ日」のような記述が可能である。
ここで、％Ｌｙ、％Ｌｍ、％Ｌｄは日時表記フォーマット内で使用できる変数であり、それぞれ、ＷＷＷ文書日時の年、月、日が代入される。
【００４２】
次に、付加情報規則記憶部１０６における記憶構造について説明する。付加情報規則記憶部１０６は付加情報規則を記憶する。図６に、付加情報規則記憶部１０６における記憶構造の一例を示す。付加情報規則は、正規表現と付加情報表記の組を１単位として、それらを複数並べた形で構成される。それぞれの組には、付加情報規則入力部１０８で入力された時点で、すでに１から順に番号が付けられており、この順番で処理が行われる。
【００４３】
ここで、正規表現とは、検索結果画面生成部１０２から送信されたＷＷＷ文書のＵＲＬに対して、文字列のマッチングをとるための表現式であり、マッチング結果は真か偽となる。
【００４４】
本実施形態では、正規表現としてＵＮＩＸ等で良く利用される形式を採用しており、一例をあげると、「＾ｈｔｔｐ：／／ｗｗｗ．ｆｒｅｓｈｅｙｅ．ｃｏｍ／」のような記述が可能である。
【００４５】
「＾」は前方一致を表しており、この例では「ｈｔｔｐ：／／ｗｗｗ．ｆｒｅｓｈｅｙｅ．ｃｏｍ／」という文字列に対してＵＲＬが前方一致したときに真となり、そうでない場合は偽となる。
【００４６】
付加情報表記とは、対応する正規表現とのマッチングの結果が真になった場合に検索結果画面生成部１０２に送信される付加情報の表記である。例えば、上記の正規表現の例に対しては、「フレッシュアイのホームページ」などと記述しておくと良い。
【００４７】
入出力部１０９には検索結果から画面を表示する検索結果画面表示部１０２が接続されている。この検索結果画面表示部１０２にはクライアントからのキーワードから検索を行う検索部１０１と日時表記を作り出す日時表記生成部１０３とＵＲＬの検索から付加情報を生成する付加情報生成部１０５が接続されている。
【００４８】
日時表記生成部１０３には日時表記規則記憶部１０４が接続され、更にこの日時表記規則記憶部１０４には日時表記規則を入力する日時表記規則入力部１０７が接続されている。日時表記規則として期間判定式は時間順に番号付けがされて日時表記規則記憶部１０４に日時表記規則入力部１０７から入力される。例えば「今日」「昨日」というものであるが、これが時間区分の計算式とリンクしている。
一方、付加情報生成部１０５には付加情報規則を記憶する付加情報規則記憶部１０６が接続され、更にこの付加情報規則記憶部１０６には付加情報規則を入力する付加情報規則入力部１０８が接続されている。付加情報規則つまり情報の入手先のうち大手のもののみのＵＲＬの正規表現を番号付けして付加情報規則入力部１０８から付加情報規則記憶部１０６に入力し、付加情報規則記憶部１０６に番号付けして記憶されている。
【００４９】
次にこのような図４に示す構成図を用いた検索結果の表示方法について図１〜３までの流れ図に沿って説明する。
【００５０】
まず、図１のステップＳ１０１で全体の初期化を行う。
ステップＳ１０２以降は、クライアント１２０からの検索要求があるたびに実行されるループとなる。クライアント１２０からの検索要求は、インターネット１２１および入出力部１０９を介して、検索結果画面生成部１０２に送られる。
【００５１】
ステップＳ１０２では、検索結果画面生成部１０２が受信した検索要求を、検索部１０１に送信する。ステップＳ１０３において、検索結果画面生成部１０２は検索結果を検索部１０１から受信すると、検索結果内のＷＷＷ文書一つ一つについて、ステップＳ１０５以降の処理をループする。
【００５２】
検索結果のＷＷＷ文書群は作成日時順にソートされ番号が付けられているので、まず、ループの前処理としてステップＳ１０４ではＷＷＷ文書の番号Ｒに０を代入する。
【００５３】
ステップＳ１０５では、Ｒに１を加える。ステップＳ１０６において検索結果中にＲ番目のＷＷＷ文書が存在するかを確認し、存在する場合には、ステップＳ１０７にてＲ番目のＷＷＷ文書の日時を日時表記生成部１０３に、ＵＲＬを付加情報生成部１０５に送信する。
【００５４】
ステップＳ１０８では日時表記生成部１０３における処理を行い、ステップＳ１０９では付加情報生成部１０５における処理を行ない、ステップＳ１０５に戻る。
ステップＳ１０８とステップＳ１０９については、後で別図により詳しく説明する。
【００５５】
ステップＳ１０６において、検索結果中にＲ番目のＷＷＷ文書が存在しない場合、すなわち検索結果内の全ＷＷＷ文書の処理が終了した場合は、ここまでの処理により生成された検索結果画面を、クライアント１２０へ送信し（ステップＳ１１０）、ステップＳ１０２へ戻る。
【００５６】
次に、ステップＳ１０８における処理の流れを、図２を用いて説明する。同図は、ステップＳ１０８における日時表記生成部１０３における処理の流れを表す流れ図である。
【００５７】
日時表記生成部１０３は、検索結果画面生成部１０２から受け取ったＷＷＷ文書の日時について、日時表記規則記憶部１０４で記憶される期間判定式に対する判定を番号順に繰り返し、判定結果が真になるか、またはすべての判定が終了したときに判定ループを終了する。
【００５８】
そこで、まずループの前処理として、ステップＳ２０１では期間判定式の番号Ｎに０を代入する。
【００５９】
ステップＳ２０２では、Ｎに１を加える。
【００６０】
ステップＳ２０３にて日時表記規則記憶部１０４からＮ番目の期間判定式を取り出し、Ｎ番目の期間判定式が存在したなら、ＷＷＷ文書の日時に対して判定を行う（ステップＳ２０４、ステップＳ２０５）。
【００６１】
ステップＳ２０５で判定結果が真ならば、ステップＳ２０６にて日時表記規則記憶部１０４からＮ番目の日時表記フォーマットを取りだし、必要な変数を代入し、日時表記として検索結果画面生成部１０２に送信する。ステップＳ２０７では、検索結果画面生成部１０２は、受信した日時表記を検索結果画面の対応する日時表示部分に埋め込む。
【００６２】
一方、ステップＳ２０５で日時の判定結果が偽の時は、ステップＳ２０２に戻る。ステップＳ２０４でＮ番目の期間判定式が存在しない場合、すなわち全ての期間判定式の判定結果が偽だった場合は、「該当結果なし」という情報を検索結果画面生成部１０２に送信する（ステップＳ２０８）。
【００６３】
次に、ステップＳ２０９において、検索結果画面生成部１０２は、デフォルト形式の日時表記を検索結果画面の対応する日時表示部分に埋め込む。
【００６４】
次に、図１のステップＳ１０９に示した付加情報生成部１０５おける処理の流れを、図２を用いて説明する。
【００６５】
付加情報生成部１０５は、検索結果画面生成部１０２から受け取ったＷＷＷ文書のＵＲＬについて、付加情報規則記憶部１０６で記憶される正規表現に対するマッチングを番号順に繰り返し、マッチング結果が真になるか、またはすべてのマッチングが終了したときにマッチングのループを終了する。
【００６６】
そこで、まずループの前処理として、ステップＳ３０１では正規表現の番号Ｍに０を代入する。ステップＳ３０２では、Ｍに１を加える。
【００６７】
ステップＳ３０３にて付加情報規則記憶部１０６からＭ番目の正規表現を取りだし、Ｍ番目の正規表現が存在したなら、ＷＷＷ文書のＵＲＬに対してマッチングを行う（ステップＳ３０４、ステップＳ３０５）。マッチング結果が真ならば、ステップＳ３０６にて付加情報規則記憶部１０６からＭ番目の付加情報表記を取りだし、検索結果画面生成部１０２に送信する。
【００６８】
ステップＳ３０７では、検索結果画面生成部１０２は、受信した付加情報表記を検索結果画面の対応する付加情報表示部分にに埋め込む。
【００６９】
一方、ステップＳ３０５において、ＵＲＬのマッチング結果が偽の場合にはステップＳ３０２に戻る。ステップＳ３０４でＭ番目の正規表現が存在しない場合、即ち全ての正規表現のマッチング結果が偽だった場合は、「該当結果なし」という情報を検索結果画面生成部１０２に送信する（ステップＳ３０８）。
【００７０】
次に、ステップＳ３０９で、検索結果画面生成部１０２は、デフォルト形式の付加情報表記を検索結果画面の対応する付加情報表示部分に埋め込む。
【００７１】
図７に、本発明の上記実施形態において「紛争」をキーワードとしてＷＷＷ文書を検索し、その結果を表示した場合の画面も一例を示す。この表示画面は、図８の従来の表示結果の画面と比べれば明らかなように、直接関係ある直接リンク先７１の他に、そのホームページなどを含む全体のホームページとリンクされた包括リンク先７２も表示されている。
【００７２】
したがって、ユーザは、検索したＷＷＷ文書に直接関係ある部分だけでなく、それを含む全体を見ることができる。
【００７３】
また、本発明の上記実施形態によれば、図７に示すように、作成日時が所定時間以内のＷＷＷ文書は作成時刻が「Ｎｅｗ」と共に表示され、それより古いものは今日、昨日などと表示されるので、文書の作成日時が感覚的にわかり易い表現になっているので、最近作成されたものが一目瞭然であり、したがって、更新頻度の高い検索システムのよる検索結果は、ユーザによく理解できる利点がある。又この情報の入手先をクリックするとその入手先のＷＷＷ文書に飛べるようにリンクが張られている。これでその情報の確認も可能となっている。
【００７４】
上記実施形態では、正規表現により包括リンク先を検知したが、要するに検索されたＷＷＷ文書のＵＲＬと予め記憶されているＵＲＬの前方一致を確認すればよい。
【００７５】
上記実施形態では、インターネットを介して検索がなされる場合について説明したが、本発明はこれに限られず、会社内などの限られた範囲において検索を行い結果を表示するイントラネットなどの場合にも適用でき、一般的にはネットワークを介して検索を行う場合に本発明は適用できる。
【００７６】
上記実施形態では、検索されたＷＷＷ文書の作成時が新しいときにはその表現も変えたが、本発明はこれに限られない。上記実施形態では、表示画面には直接リンク先の文章の一部が表示されていたが、これは表示されていなくてもよい。
【００７７】
要するに、検索されたＷＷＷ文書の直接リンク先と共にそれを含む包括リンク先が対応されて表示されていればよい。
【００７８】
本発明は、例えば、三宅島の噴火に関してなら、火山の話とか三宅島の観測関係のページに飛ぶとか、発展させた知識が得られるように、同類の文献類、分類の案内に関連付けルようにすることができる。このためには、記憶ＵＲＬを予め分類分けしておく、即ち関連するものをディレクトリーに分けておき、検索の際、これらのディレクトリーに導くようにすればよい。
【００７９】
【発明の効果】
本発明によれば、検索結果に直接リンク先だけでなく、それを含む包括リンク先が表示されるので、直接関係あるＷＷＷ文書だけでなく、そのＷＷＷ文書が含まれる全体のＷＷＷ文書も容易に見ることができる、ネットワークにおける検索結果の表示方法などが得られる。
【図面の簡単な説明】
【図１】本発明の一実施形態の処理の流れを示す図。
【図２】図１に示す本発明の一実施形態の処理の流れにおける一部の詳細を示す図。
【図３】図１に示す本発明の一実施形態の処理の流れにおける一部の詳細を示す図。
【図４】本発明の一実施形態の構成例を示す図・
【図５】本発明の一実施形態の構成における、期間判定式の記憶の構造を示す図。
【図６】本発明の一実施形態の構成における、正規表現の記憶の構造を示す図。
【図７】本発明の一実施形態における検索結果の表示例を示す図。
【図８】従来の検索結果の表示例を示す図。
【符号の説明】
１００…検索装置、１０１…検索部、１０２…検索結果画面生成部、１０５…付加情報生成部、１０６…付加情報規則記憶部、１０８…付加情報規則入力部、１２０…クライアント、１２１…インターネット。
【図１】
0003877512.tif 000002
【図２】
0003877512.tif 000003
【図３】
0003877512.tif 000004
【図４】
0003877512.tif 000005
【図５】
0003877512.tif 000006
【図６】
0003877512.tif 000007
【図７】
0003877512.tif 000008
【図８】
0003877512.tif 000009